(57)【要約】【課題】電子透かしによって埋め込まれたコピー制御情報に基づき、映像データや音声データをコピーする際に、的確なコピー制御を行うことができないことがあった。【解決手段】部分ごとにコピーが禁止されている／禁止されていないデータを外部から入力し、その外部から入力されるデータを一時的に記憶する一時記憶部５と、外部から入力されるデータに関して、部分ごとにコピーが禁止されているか否かを検出する電子透かし検出部１と、コピーが禁止されていると検出された場合には、一時的に記憶されたデータの内、そのコピーが禁止されていると検出された部分を破棄して、記録媒体６への記録を行うための制御を行い、制御に基づいて記録媒体６への記録を行う制御部７とを備えた記録装置である。【選択図】  図１
2004213711.tif 000002
【特許請求の範囲】
【請求項１】
部分ごとにコピーが禁止されている／禁止されていないデータを外部から入力し、その外部から入力されるデータを一時的に記憶する一時記憶手段と、
前記外部から入力されるデータに関して、前記部分ごとに前記コピーが禁止されているか否かを検出する検出手段と、
前記コピーが禁止されていると検出された場合には、前記一時的に記憶されたデータの内、そのコピーが禁止されていると検出された部分を破棄して、所定の媒体への記録を行うための制御を行う制御手段と、
前記制御に基づいて前記所定の媒体への記録を行う記録手段とを備えた記録装置。
【請求項２】
部分ごとにコピーが禁止されている／禁止されていないデータを外部から入力し、その外部から入力されるデータを所定の媒体につぎつぎと記録する記録手段と、
前記外部から入力されるデータに関して、前記部分ごとに前記コピーが禁止されているか否かを検出する検出手段と、
前記コピーが禁止されていると検出された場合には、前記つぎつぎと記録されていくデータの内、前記コピーが禁止されていると検出された部分に対してつぎに記録される部分を上書きして、前記所定の媒体への記録を行うための制御を行う制御手段とを備え、
前記記録手段は、前記制御に基づいて前記所定の媒体への記録を行う記録装置。
【請求項３】
部分ごとにコピーが禁止されている／禁止されていないデータを外部から入力し、その外部から入力されるデータを所定の媒体に所定の記録トラックを利用してつぎつぎと記録する記録手段と、
前記外部から入力されるデータに関して、前記部分ごとに前記コピーが禁止されているか否かを検出する検出手段と、
前記コピーが禁止されていると検出された場合には、前記所定の記録トラックを利用してつぎつぎと記録されていくデータの内、前記コピーが禁止されていると検出された部分を削除し、（ａ）つぎに記録される部分を同じ前記所定の記録トラックを利用して書き込む、または（ｂ）つぎに記録される部分を別の前記所定の記録トラックを利用して書き込んで、前記所定の媒体への記録を行うための制御を行う制御手段とを備え、
前記記録手段は、前記制御に基づいて前記所定の媒体への記録を行う記録装置。
【請求項４】
部分ごとにコピーが禁止されている／禁止されていないデータを外部から入力し、その外部から入力されるデータを所定の媒体に所定の記録トラックを利用してつぎつぎと記録する記録手段と、
前記外部から入力されるデータに関して、前記部分ごとに前記コピーが禁止されているか否かを検出する検出手段と、
（１）前記コピーが禁止されていると検出された場合には、つぎに記録される部分を新たな別の前記所定の記録トラックを利用して書き込み、（２）さらに続けて前記コピーが禁止されていると検出された場合には、前記所定の記録トラックを利用してつぎつぎと記録されていくデータの内、そのコピーが禁止されていると検出された部分の記録に利用された記録トラックを削除し、つぎに記録される部分を新たな別の前記所定の記録トラックを利用して書き込んで、前記所定の媒体への記録を行うための制御を行う制御手段とを備え、
前記記録手段は、前記制御に基づいて前記所定の媒体への記録を行う記録装置。
【請求項５】
部分ごとにコピーが禁止されている／禁止されていないデータを外部から複数入力し、その外部から入力される複数のデータを一つのデータに統合する統合手段をさらに備え、
前記検出は、前記外部から入力される複数のデータの内の少なくとも一つのデータに関して行われる請求項１から４の何れかに記載の記録装置。
【請求項６】
前記複数のデータは、互いに同期した映像データと音声データとである請求項５記載の記録装置。
【請求項７】
前記データを圧縮する圧縮手段をさらに備えた請求項１から４の何れかに記載の記録装置。
【請求項８】
前記データを暗号化する暗号化手段をさらに備えた請求項１から４の何れかに記載の記録装置。
【請求項９】
前記削除は、前記所定の媒体への記録の管理を行うためのファイルシステムに関して行われる請求項３または４の何れかに記載の記録装置。
【請求項１０】
部分ごとにコピーが禁止されている／禁止されていないデータを外部から入力し、その外部から入力されるデータを一時的に記憶する一時記憶ステップと、
前記外部から入力されるデータに関して、前記部分ごとに前記コピーが禁止されているか否かを検出する検出ステップと、
前記コピーが禁止されていると検出された場合には、前記一時的に記憶されたデータの内、そのコピーが禁止されていると検出された部分を破棄して、所定の媒体への記録を行うための制御を行う制御ステップと、
前記制御に基づいて前記所定の媒体への記録を行う記録ステップとを備えた記録方法。
【請求項１１】
部分ごとにコピーが禁止されている／禁止されていないデータを外部から入力し、その外部から入力されるデータを所定の媒体につぎつぎと記録する記録ステップと、
前記外部から入力されるデータに関して、前記部分ごとに前記コピーが禁止されているか否かを検出する検出ステップと、
前記コピーが禁止されていると検出された場合には、前記つぎつぎと記録されていくデータの内、前記コピーが禁止されていると検出された部分に対してつぎに記録される部分を上書きして、前記所定の媒体への記録を行うための制御を行う制御ステップとを備え、
前記記録ステップにおいては、前記制御に基づいて前記所定の媒体への記録を行う記録方法。
【請求項１２】
部分ごとにコピーが禁止されている／禁止されていないデータを外部から入力し、その外部から入力されるデータを所定の媒体に所定の記録トラックを利用してつぎつぎと記録する記録ステップと、
前記外部から入力されるデータに関して、前記部分ごとに前記コピーが禁止されているか否かを検出する検出ステップと、
前記コピーが禁止されていると検出された場合には、前記所定の記録トラックを利用してつぎつぎと記録されていくデータの内、前記コピーが禁止されていると検出された部分を削除し、（ａ）つぎに記録される部分を同じ前記所定の記録トラックを利用して書き込む、または（ｂ）つぎに記録される部分を別の前記所定の記録トラックを利用して書き込んで、前記所定の媒体への記録を行うための制御を行う制御ステップとを備え、
前記記録ステップにおいては、前記制御に基づいて前記所定の媒体への記録を行う記録方法。
【請求項１３】
部分ごとにコピーが禁止されている／禁止されていないデータを外部から入力し、その外部から入力されるデータを所定の媒体に所定の記録トラックを利用してつぎつぎと記録する記録ステップと、
前記外部から入力されるデータに関して、前記部分ごとに前記コピーが禁止されているか否かを検出する検出ステップと、
（１）前記コピーが禁止されていると検出された場合には、つぎに記録される部分を新たな別の前記所定の記録トラックを利用して書き込み、（２）さらに続けて前記コピーが禁止されていると検出された場合には、前記所定の記録トラックを利用してつぎつぎと記録されていくデータの内、そのコピーが禁止されていると検出された部分の記録に利用された記録トラックを削除し、つぎに記録される部分を新たな別の前記所定の記録トラックを利用して書き込んで、前記所定の媒体への記録を行うための制御を行う制御ステップとを備え、
前記記録ステップにおいては、前記制御に基づいて前記所定の媒体への記録を行う記録方法。
【請求項１４】
請求項１０記載の記録方法の、部分ごとにコピーが禁止されている／禁止されていないデータを外部から入力し、その外部から入力されるデータを一時的に記憶する一時記憶ステップと、前記外部から入力されるデータに関して、前記部分ごとに前記コピーが禁止されているか否かを検出する検出ステップと、前記コピーが禁止されていると検出された場合には、前記一時的に記憶されたデータの内、そのコピーが禁止されていると検出された部分を破棄して、所定の媒体への記録を行うための制御を行う制御ステップと、前記制御に基づいて前記所定の媒体への記録を行う記録ステップとをコンピュータに実行させるためのプログラム。
【請求項１５】
請求項１１記載の記録方法の、部分ごとにコピーが禁止されている／禁止されていないデータを外部から入力し、その外部から入力されるデータを所定の媒体につぎつぎと記録する記録ステップと、前記外部から入力されるデータに関して、前記部分ごとに前記コピーが禁止されているか否かを検出する検出ステップと、前記コピーが禁止されていると検出された場合には、前記つぎつぎと記録されていくデータの内、前記コピーが禁止されていると検出された部分に対してつぎに記録される部分を上書きして、前記所定の媒体への記録を行うための制御を行う制御ステップとをコンピュータに実行させるためのプログラム。
【請求項１６】
請求項１２記載の記録方法の、部分ごとにコピーが禁止されている／禁止されていないデータを外部から入力し、その外部から入力されるデータを所定の媒体に所定の記録トラックを利用してつぎつぎと記録する記録ステップと、前記外部から入力されるデータに関して、前記部分ごとに前記コピーが禁止されているか否かを検出する検出ステップと、
前記コピーが禁止されていると検出された場合には、前記所定の記録トラックを利用してつぎつぎと記録されていくデータの内、前記コピーが禁止されていると検出された部分を削除し、（ａ）つぎに記録される部分を同じ前記所定の記録トラックを利用して書き込む、または（ｂ）つぎに記録される部分を別の前記所定の記録トラックを利用して書き込んで、前記所定の媒体への記録を行うための制御を行う制御ステップとをコンピュータに実行させるためのプログラム。
【請求項１７】
請求項１３記載の記録方法の、部分ごとにコピーが禁止されている／禁止されていないデータを外部から入力し、その外部から入力されるデータを所定の媒体に所定の記録トラックを利用してつぎつぎと記録する記録ステップと、前記外部から入力されるデータに関して、前記部分ごとに前記コピーが禁止されているか否かを検出する検出ステップと、（１）前記コピーが禁止されていると検出された場合には、つぎに記録される部分を新たな別の前記所定の記録トラックを利用して書き込み、（２）さらに続けて前記コピーが禁止されていると検出された場合には、前記所定の記録トラックを利用してつぎつぎと記録されていくデータの内、そのコピーが禁止されていると検出された部分の記録に利用された記録トラックを削除し、つぎに記録される部分を新たな別の前記所定の記録トラックを利用して書き込んで、前記所定の媒体への記録を行うための制御を行う制御ステップとをコンピュータに実行させるためのプログラム。
【請求項１８】
請求項１４から１７の何れかに記載のプログラムを担持した記録媒体であって、コンピュータにより処理可能な記録媒体。
【発明の詳細な説明】
【０００１】
【発明の属する技術分野】
本発明は、たとえば、映像データや音声データをコピーする際に電子透かしによって埋め込まれたコピー制御情報を利用する記録装置、記録方法、プログラム、および記録媒体に関するものである。
【０００２】
【従来技術】
近年、映像や音声のコンテンツをデジタルデータとして扱える環境が急速に普及してきており、コンテンツの品質を落とすことなくコピーが可能になってきている。そのため、以前にも増して著作権者の利益を守る不正コピー防止技術が重要となってきている。
【０００３】
従来、コピー制御情報はコンテンツデータのデータ列の一部にフラグとして埋め込まれることが多かったが、改竄されやすく、また、一旦アナログデータに変換されると情報が失われる。
【０００４】
そこで、より改竄に強い方法として、電子透かし技術を用いてコンテンツデータそのものに「コピー可」、「コピー禁止」などのコピー制御情報を埋め込み、このコピー制御情報を用いて記録制御を行う方法が提案されている（例えば、特許文献１参照）。
【０００５】
以下、従来の映像音声記録装置の構成および動作について、図１５、１６を用いて説明する。
【０００６】
図１５に、電子透かしによって埋め込まれたコピー制御情報に基づき記録制御を行う従来の映像音声記録装置の構成を示す。
【０００７】
同図において、記録対象のコンテンツデータに対し電子透かし検出部１０１で電子透かしによって埋め込まれたコピー制御情報を検出し、このコンテンツデータを記録媒体１０２に記録する。
【０００８】
検出したコピー制御情報が「コピー禁止」であった場合には、書き込み制御部１０３が記録動作を停止させ、検出したコピー制御情報が「コピー可」または電子透かしによるコピー制御情報が検出されなかった場合には、書き込み制御部１０３が記録を許可し、記録動作を再開させる。
【０００９】
電子透かし検出部１０１は、入力されるコンテンツデータのある一定時間のデータに対して検出を行うものである。したがって、コンテンツデータを連続的に入力すると、一定時間毎に検出結果が出力される。
【００１０】
なお、一定時間のデータを取り出す検出窓の時間長は、電子透かしの仕様毎に異なる。
【００１１】
上記従来の映像音声記録装置によって記録されるデータについて、図１６を例にとって説明する。
【００１２】
時間は、同図において左から右へ経過していく。
【００１３】
入力コンテンツは、最初コピー制御情報が「コピー可」であり、その後一旦「コピー禁止」となり、その後再び「コピー禁止」となっている。
【００１４】
この入力コンテンツを電子透かし検出部１０１に入力して電子透かしを検出し、コピー制御情報を取得する。
【００１５】
前述の通り、電子透かしの検出は検出窓毎に出力される。検出窓（１）、（２）では、検出窓に含まれる電子透かしについて「コピー可」が検出され、下向きの矢印で示したタイミングで検出結果が得られる。同様に検出窓（３）、（４）では「コピー禁止」、検出窓（５）、（６）では再び「コピー可」が検出され、下向きの矢印で示したタイミングで検出結果が得られる。
【００１６】
各検出窓において、（１）コピー制御情報が「コピー可」である時間長が、コピー制御情報が「コピー禁止」である時間長以上である場合には、その検出窓の電子透かしの検出結果は「コピー可」となり、（２） コピー制御情報が「コピー可」である時間長が、コピー制御情報が「コピー禁止」である時間長未満である場合には、その検出窓の電子透かしの検出結果は「コピー禁止」となる。
【００１７】
書き込み制御部１０３は、検出結果に基づき図示したように記録動作の停止、開始を制御する。
【００１８】
【特許文献１】
特開２００１−３５９０４３号公報
【００１９】
【発明が解決しようとする課題】
しかしながら、上記従来の構成では、図１５に示したように、入力コンテンツにおいて電子透かしで埋め込まれたコピー制御情報でコピー禁止を指定した範囲に対して、実際に記録停止する範囲が大きくずれることがあった。
【００２０】
より具体的に述べると、このように記録停止する範囲がずれてしまうことによって、本来記録してはいけないコンテンツを１検出窓分以上記録してしまったり、コピー可の部分の先頭が最大１検出窓分記録できなかったりする（いわゆる頭切れが発生する）ことがあり、好ましくなかった。
【００２１】
このように、電子透かしによって埋め込まれたコピー制御情報に基づき、映像データや音声データをコピーする際に、的確なコピー制御を行うことができないことがあるという課題があった。
【００２２】
本発明は、上記従来のこのような課題を考慮し、電子透かしによって埋め込まれたコピー制御情報に基づき、映像データや音声データをコピーする際に、より的確なコピー制御を行うことができる記録装置、記録方法、プログラム、および記録媒体を提供することを目的とするものである。
【００２３】
【課題を解決するための手段】
第１の本発明は、部分ごとにコピーが禁止されている／禁止されていないデータを外部から入力し、その外部から入力されるデータを一時的に記憶する一時記憶手段（５、図１参照）と、
前記外部から入力されるデータに関して、前記部分ごとに前記コピーが禁止されているか否かを検出する検出手段（１、図１参照）と、
前記コピーが禁止されていると検出された場合には、前記一時的に記憶されたデータの内、そのコピーが禁止されていると検出された部分を破棄して、所定の媒体への記録を行うための制御を行う制御手段（７、図１参照）と、
前記制御に基づいて前記所定の媒体への記録を行う記録手段（７、図１参照）とを備えた記録装置である。
【００２４】
第２の本発明は、部分ごとにコピーが禁止されている／禁止されていないデータを外部から入力し、その外部から入力されるデータを所定の媒体につぎつぎと記録する記録手段（７、図５参照）と、
前記外部から入力されるデータに関して、前記部分ごとに前記コピーが禁止されているか否かを検出する検出手段（１、図５参照）と、
前記コピーが禁止されていると検出された場合には、前記つぎつぎと記録されていくデータの内、前記コピーが禁止されていると検出された部分に対してつぎに記録される部分を上書きして、前記所定の媒体への記録を行うための制御を行う制御手段（７、図５参照）とを備え、
前記記録手段（７、図５参照）は、前記制御に基づいて前記所定の媒体への記録を行う記録装置である。
【００２５】
第３の本発明は、部分ごとにコピーが禁止されている／禁止されていないデータを外部から入力し、その外部から入力されるデータを所定の媒体に所定の記録トラックを利用してつぎつぎと記録する記録手段（７、図５参照）と、
前記外部から入力されるデータに関して、前記部分ごとに前記コピーが禁止されているか否かを検出する検出手段（１、図５参照）と、
前記コピーが禁止されていると検出された場合には、前記所定の記録トラックを利用してつぎつぎと記録されていくデータの内、前記コピーが禁止されていると検出された部分を削除し、（ａ）つぎに記録される部分を同じ前記所定の記録トラックを利用して書き込む、または（ｂ）つぎに記録される部分を別の前記所定の記録トラックを利用して書き込んで、前記所定の媒体への記録を行うための制御を行う制御手段（７、図５参照）とを備え、
前記記録手段（７、図５参照）は、前記制御に基づいて前記所定の媒体への記録を行う記録装置である。
【００２６】
第４の本発明は、部分ごとにコピーが禁止されている／禁止されていないデータを外部から入力し、その外部から入力されるデータを所定の媒体に所定の記録トラックを利用してつぎつぎと記録する記録手段（７、図５参照）と、
前記外部から入力されるデータに関して、前記部分ごとに前記コピーが禁止されているか否かを検出する検出手段（１、図５参照）と、
（１）前記コピーが禁止されていると検出された場合には、つぎに記録される部分を新たな別の前記所定の記録トラックを利用して書き込み、（２）さらに続けて前記コピーが禁止されていると検出された場合には、前記所定の記録トラックを利用してつぎつぎと記録されていくデータの内、そのコピーが禁止されていると検出された部分の記録に利用された記録トラックを削除し、つぎに記録される部分を新たな別の前記所定の記録トラックを利用して書き込んで、前記所定の媒体への記録を行うための制御を行う制御手段（７、図５参照）とを備え、
前記記録手段（７、図５参照）は、前記制御に基づいて前記所定の媒体への記録を行う記録装置である。
【００２７】
第５の本発明は、部分ごとにコピーが禁止されている／禁止されていないデータを外部から複数入力し、その外部から入力される複数のデータを一つのデータに統合する統合手段（１０、図１０参照）をさらに備え、
前記検出は、前記外部から入力される複数のデータの内の少なくとも一つのデータに関して行われる第１から第４の本発明の何れかの記録装置である。
【００２８】
第６の本発明は、前記複数のデータは、互いに同期した映像データと音声データとである第５の本発明の記録装置である。
【００２９】
第７の本発明は、前記データを圧縮する圧縮手段（８、図３参照）をさらに備えた第１から第４の本発明の何れかの記録装置である。
【００３０】
第８の本発明は、前記データを暗号化する暗号化手段（９、図４参照）をさらに備えた第１から第４の本発明の何れかの記録装置である。
【００３１】
第９の本発明は、前記削除は、前記所定の媒体への記録の管理を行うためのファイルシステムに関して行われる第３または第４の本発明の何れかの記録装置である。
【００３２】
第１０の本発明は、部分ごとにコピーが禁止されている／禁止されていないデータを外部から入力し、その外部から入力されるデータを一時的に記憶する一時記憶ステップと、
前記外部から入力されるデータに関して、前記部分ごとに前記コピーが禁止されているか否かを検出する検出ステップと、
前記コピーが禁止されていると検出された場合には、前記一時的に記憶されたデータの内、そのコピーが禁止されていると検出された部分を破棄して、所定の媒体への記録を行うための制御を行う制御ステップと、
前記制御に基づいて前記所定の媒体への記録を行う記録ステップとを備えた記録方法である。
【００３３】
第１１の本発明は、部分ごとにコピーが禁止されている／禁止されていないデータを外部から入力し、その外部から入力されるデータを所定の媒体につぎつぎと記録する記録ステップと、
前記外部から入力されるデータに関して、前記部分ごとに前記コピーが禁止されているか否かを検出する検出ステップと、
前記コピーが禁止されていると検出された場合には、前記つぎつぎと記録されていくデータの内、前記コピーが禁止されていると検出された部分に対してつぎに記録される部分を上書きして、前記所定の媒体への記録を行うための制御を行う制御ステップとを備え、
前記記録ステップにおいては、前記制御に基づいて前記所定の媒体への記録を行う記録方法である。
【００３４】
第１２の本発明は、部分ごとにコピーが禁止されている／禁止されていないデータを外部から入力し、その外部から入力されるデータを所定の媒体に所定の記録トラックを利用してつぎつぎと記録する記録ステップと、
前記外部から入力されるデータに関して、前記部分ごとに前記コピーが禁止されているか否かを検出する検出ステップと、
前記コピーが禁止されていると検出された場合には、前記所定の記録トラックを利用してつぎつぎと記録されていくデータの内、前記コピーが禁止されていると検出された部分を削除し、（ａ）つぎに記録される部分を同じ前記所定の記録トラックを利用して書き込む、または（ｂ）つぎに記録される部分を別の前記所定の記録トラックを利用して書き込んで、前記所定の媒体への記録を行うための制御を行う制御ステップとを備え、
前記記録ステップにおいては、前記制御に基づいて前記所定の媒体への記録を行う記録方法である。
【００３５】
第１３の本発明は、部分ごとにコピーが禁止されている／禁止されていないデータを外部から入力し、その外部から入力されるデータを所定の媒体に所定の記録トラックを利用してつぎつぎと記録する記録ステップと、
前記外部から入力されるデータに関して、前記部分ごとに前記コピーが禁止されているか否かを検出する検出ステップと、
（１）前記コピーが禁止されていると検出された場合には、つぎに記録される部分を新たな別の前記所定の記録トラックを利用して書き込み、（２）さらに続けて前記コピーが禁止されていると検出された場合には、前記所定の記録トラックを利用してつぎつぎと記録されていくデータの内、そのコピーが禁止されていると検出された部分の記録に利用された記録トラックを削除し、つぎに記録される部分を新たな別の前記所定の記録トラックを利用して書き込んで、前記所定の媒体への記録を行うための制御を行う制御ステップとを備え、
前記記録ステップにおいては、前記制御に基づいて前記所定の媒体への記録を行う記録方法である。
【００３６】
第１４の本発明は、第１０の本発明の記録方法の、部分ごとにコピーが禁止されている／禁止されていないデータを外部から入力し、その外部から入力されるデータを一時的に記憶する一時記憶ステップと、前記外部から入力されるデータに関して、前記部分ごとに前記コピーが禁止されているか否かを検出する検出ステップと、前記コピーが禁止されていると検出された場合には、前記一時的に記憶されたデータの内、そのコピーが禁止されていると検出された部分を破棄して、所定の媒体への記録を行うための制御を行う制御ステップと、前記制御に基づいて前記所定の媒体への記録を行う記録ステップとをコンピュータに実行させるためのプログラムである。
【００３７】
第１５の本発明は、第１１の本発明の記録方法の、部分ごとにコピーが禁止されている／禁止されていないデータを外部から入力し、その外部から入力されるデータを所定の媒体につぎつぎと記録する記録ステップと、前記外部から入力されるデータに関して、前記部分ごとに前記コピーが禁止されているか否かを検出する検出ステップと、前記コピーが禁止されていると検出された場合には、前記つぎつぎと記録されていくデータの内、前記コピーが禁止されていると検出された部分に対してつぎに記録される部分を上書きして、前記所定の媒体への記録を行うための制御を行う制御ステップとをコンピュータに実行させるためのプログラムである。
【００３８】
第１６の本発明は、第１２の本発明の記録方法の、部分ごとにコピーが禁止されている／禁止されていないデータを外部から入力し、その外部から入力されるデータを所定の媒体に所定の記録トラックを利用してつぎつぎと記録する記録ステップと、前記外部から入力されるデータに関して、前記部分ごとに前記コピーが禁止されているか否かを検出する検出ステップと、
前記コピーが禁止されていると検出された場合には、前記所定の記録トラックを利用してつぎつぎと記録されていくデータの内、前記コピーが禁止されていると検出された部分を削除し、（ａ）つぎに記録される部分を同じ前記所定の記録トラックを利用して書き込む、または（ｂ）つぎに記録される部分を別の前記所定の記録トラックを利用して書き込んで、前記所定の媒体への記録を行うための制御を行う制御ステップとをコンピュータに実行させるためのプログラムである。
【００３９】
第１７の本発明は、第１３の本発明の記録方法の、部分ごとにコピーが禁止されている／禁止されていないデータを外部から入力し、その外部から入力されるデータを所定の媒体に所定の記録トラックを利用してつぎつぎと記録する記録ステップと、前記外部から入力されるデータに関して、前記部分ごとに前記コピーが禁止されているか否かを検出する検出ステップと、（１）前記コピーが禁止されていると検出された場合には、つぎに記録される部分を新たな別の前記所定の記録トラックを利用して書き込み、（２）さらに続けて前記コピーが禁止されていると検出された場合には、前記所定の記録トラックを利用してつぎつぎと記録されていくデータの内、そのコピーが禁止されていると検出された部分の記録に利用された記録トラックを削除し、つぎに記録される部分を新たな別の前記所定の記録トラックを利用して書き込んで、前記所定の媒体への記録を行うための制御を行う制御ステップとをコンピュータに実行させるためのプログラムである。
【００４０】
第１８の本発明は、第１４から第１７の本発明の何れかのプログラムを担持した記録媒体であって、コンピュータにより処理可能な記録媒体である。
【００４１】
【発明の実施の形態】
以下、本発明の実施の形態について、図面を用いて説明する。
【００４２】
（実施の形態１）
はじめに、図１を主として参照しながら、本実施の形態の映像音声記録装置の構成について説明する。
【００４３】
図１は、本発明の実施の形態１による映像音声記録装置の構成を示すブロック図である。
【００４４】
図１において、１は映像または音声の入力コンテンツデータから電子透かしの検出を行いコピー制御情報を抽出する電子透かし検出部、５は入力コンテンツデータを一時的に記憶する一時記憶部、６はコンテンツデータを記録する記録媒体、７は電子透かし検出部で検出されたコピー制御情報に基づき一時記憶部と記憶媒体への書き込みを制御する制御部である。
【００４５】
なお、一時記憶部５は本発明の一時記憶手段に対応し、電子透かし検出部１は本発明の検出手段に対応し、制御部７は本発明の制御手段および記録手段を含む手段に対応する。
【００４６】
以下において詳述されるように、本発明の実施の形態においては、検出窓（ｘ）、ｘ＝１、…、６に対する検出結果に応じて、検出窓（ｘ）に対応する部分を記録するか破棄するかを選択するための一時記憶部制御を行うことができる（前述した従来例においては、検出窓（ｘ−１）に対する検出結果に応じて、検出窓（ｘ）に対応する部分を記録するか破棄するかを選択するための一時記憶部制御を行っていた）。このため、本発明の実施の形態においては、コピー不可の部分を記録してしまったり、コピー可の部分を記録しなかったりすることが抑制され、的確にコピー制御を行うことができるものである。
【００４７】
つぎに、本実施の形態の映像音声記録装置の動作について説明する。なお、本実施の形態の映像音声記録装置の動作について説明しながら、本発明の記録方法の一実施の形態についても説明する（以下の実施の形態においても同様である）。
【００４８】
以下、コンテンツデータの記録動作について説明する。
【００４９】
入力コンテンツは一時記憶部５に蓄積され、同時に電子透かし検出部１にて検出窓単位に電子透かし検出が行われ、コピー制御情報が抽出される。制御部７は検出窓単位に通知されてくるコピー制御情報がコピー禁止であった場合には一時記憶部５に蓄積されていたコンテンツデータを破棄し、通知されてくるコピー制御情報がコピー可もしくは検出なしであった場合には記憶媒体６にコンテンツデータを書き出す制御を行う。なお、電子透かし検出部１がコピー制御情報を制御部７に通知するときに一時記憶部５に蓄積されているコンテンツデータは、電子透かし検出を実行した検出窓のコンテンツデータと一致する。
【００５０】
上記のように記録動作を行ったときに、コンテンツデータ内に埋め込まれたコピー制御情報と記録媒体に記録されるコンテンツデータとの関係を図２を用いて説明する。
【００５１】
時間は、同図において左から右へ経過していく。
【００５２】
入力コンテンツは、最初コピー制御情報が「コピー可」であり、その後一旦「コピー禁止」となり、その後再び「コピー禁止」となっている。
【００５３】
この入力コンテンツを電子透かし検出部１に入力して電子透かしを検出しコピー制御情報を取得する。前述の通り、電子透かしの検出は検出窓毎に出力される。検出窓（１）、（２）では、検出窓に含まれる電子透かしについて「コピー可」が検出され、下向きの矢印で示したタイミングで検出結果が得られる。同様に検出窓（３）、（４）では「コピー禁止」、検出窓（５）、（６）では再び「コピー可」が検出され、下向きの矢印で示したタイミングで検出結果が得られる。
検出結果が得られたタイミングでは、丁度当該検出窓分のコンテンツデータが一時記憶部５に蓄積されているので、同図のように検出結果にしたがって蓄積されたデータを「記録」または「破棄」する。
【００５４】
本実施の形態では、各検出窓において、（１）コピー制御情報が「コピー可」である時間長が、コピー制御情報が「コピー禁止」である時間長以上である場合には、その検出窓の電子透かしの検出結果は「コピー可」となり、（２） コピー制御情報が「コピー可」である時間長が、コピー制御情報が「コピー禁止」である時間長未満である場合には、その検出窓の電子透かしの検出結果は「コピー禁止」となる。
【００５５】
もちろん、このような判定方法は、あくまで一例であり、例えば、「「コピー可」である期間が少しでも有れば、その検出窓の電子透かしの検出結果を「コピー可」とする」ことにしてもよい。要するに、判定基準となる「コピー可」である時間長と「コピー禁止」である時間長との比率は任意に設定可能であり、その他の判定基準を用いても何ら差し支えない。これは、以下の説明においても同様である。
【００５６】
このように制御することで、電子透かしによってコピー禁止が指定されているコンテンツデータ部分に関し、記録媒体６に記録されるのは検出窓（２）の後半部分と検出窓（５）の前半部分だけであり、さらに検出窓（５）のコンテンツデータが記録されるため、コピー禁止からコピー可に遷移したときにコピー可部分の頭切れを防ぐことが出来る。
【００５７】
なお、入力コンテンツデータを圧縮して記録媒体６に記録する場合は、図３に示すように一時記憶部５の前段に圧縮部８を配置する。制御内容は基本的に図１の構成の場合と同じである。
【００５８】
なお、圧縮部８は、本発明の圧縮手段に対応する。
【００５９】
また、コンテンツデータを暗号化して記録媒体に記録する場合は、コンテンツ暗号化部を一時記憶部５の前段に配しても後段に配しても良いが、図４に示すようにコンテンツ暗号化部９を一時記憶部５の後段に配すれば、コピー禁止からコピー可に遷移した際に暗号鍵を変更し、トラック（論理的なトラックである、以下同様）を分割して記録することが可能になる。
【００６０】
なお、コンテンツ暗号化部９は、本発明の暗号化手段に対応する。
【００６１】
（実施の形態２）
つぎに、図５を主として参照しながら、本実施の形態の映像音声記録装置の構成について説明する。
【００６２】
図５は、本発明の実施の形態２による映像音声記録装置の構成を示すブロック図である。
【００６３】
図５において、１は映像または音声の入力コンテンツデータから電子透かしの検出を行いコピー制御情報を抽出する電子透かし検出部、６はコンテンツデータを記録する記録媒体、７は電子透かし検出部で検出されたコピー制御情報に基づき記憶媒体への書き込みを制御する制御部である。
【００６４】
つぎに、本実施の形態の映像音声記録装置の動作について説明する。
【００６５】
以下、コンテンツデータの記録動作について説明する。
【００６６】
入力コンテンツは逐次、記録媒体６に記録され、同時に電子透かし検出部１にて検出窓単位に電子透かし検出が行われ、コピー制御情報が抽出される。制御部７は検出窓単位に通知されてくるコピー制御情報がコピー禁止であった場合には、記録媒体６への書き込み位置を電子透かし検出の結果がコピー可であった位置または電子透かしが検出できなかった位置まで戻して記録を継続するよう書き込み制御を行う。
【００６７】
上記のように記録動作を行ったときに、コンテンツデータ内に埋め込まれたコピー制御情報と記録媒体に記録されるコンテンツデータとの関係を図６を用いて説明する。
【００６８】
入力コンテンツと電子透かし検出の関係は図２と同様なので説明を省略する。
検出窓（３）でコピー禁止が検出されたとき、検出窓（３）のコンテンツはすでに記録媒体６に記録されているが、検出窓（４）のコンテンツを書き込み始める位置を検出窓（３）のコンテンツの先頭に戻すことで、検出窓（３）のコンテンツは上書き消去される。検出窓（４）でコピー禁止が検出されたときも同様であり、検出窓（４）のコンテンツはすでに記録媒体６に記録されているが、検出窓（５）のコンテンツを書き込み始める位置を検出窓（４）のコンテンツの先頭に戻すことで、検出窓（４）のコンテンツは上書き消去される。
【００６９】
このように制御することで、電子透かしによってコピー禁止が指定されているコンテンツデータ部分に関し、記録媒体６に記録されるのは検出窓（２）の後半部分と検出窓（５）の前半部分だけであり、さらに検出窓（５）のコンテンツデータが記録されるため、コピー禁止からコピー可に遷移したときにコピー可部分の頭切れを防ぐことが出来る。
【００７０】
（実施の形態３）
本発明の実施の形態３による映像音声記録装置の構成を示すブロック図は実施の形態２と同様であるため、図５を流用してコンテンツデータの記録動作について説明する。
【００７１】
入力コンテンツは記録媒体６に記録され、同時に電子透かし検出部１にて検出窓単位に電子透かし検出が行われ、コピー制御情報が抽出される。制御部７は検出窓単位に通知されてくるコピー制御情報がコピー禁止であった場合には、当該記録トラックにおいて最後にコピー可を検出した位置または最後に電子透かしが検出できなかった位置以降に記録したデータ部分を削除し、その位置に続けて記録を継続するよう書き込み制御を行う。
【００７２】
実施の形態２との差異は、コピー禁止を検出した検出窓に相当するコンテンツを一旦消して書くか否かであり、その他の点は実施の形態２と同じである。
【００７３】
なお、データを削除する際は、削除するデータ部分を書きつぶすことが望ましいが、ファイルシステム等の管理情報の上だけで削除したことにしてもよい。
【００７４】
（実施の形態４）
本発明の実施の形態４による映像音声記録装置の構成を示すブロック図は実施の形態２と同様であるため、図５を流用してコンテンツデータの記録動作について説明する。
【００７５】
入力コンテンツは記録媒体６に記録され、同時に電子透かし検出部１にて検出窓単位に電子透かし検出が行われ、コピー制御情報が抽出される。制御部７は検出窓単位に通知されてくるコピー制御情報がコピー禁止であった場合には、記録媒体６への記録を新たに別のトラックとして継続するとともに、コピー禁止を検出する直前まで記録していたトラックにおいて、最後にコピー可を検出した位置または最後に電子透かしが検出できなかった位置以降に記録したデータ部分を削除するよう書き込み制御を行う。
【００７６】
上記のように記録動作を行ったときに、コンテンツデータ内に埋め込まれたコピー制御情報と記録媒体に記録されるコンテンツデータとの関係を図７を用いて説明する。
【００７７】
入力コンテンツと電子透かし検出の関係は図２と同様なので説明を省略する。
検出窓（３）でコピー禁止が検出されたとき、検出窓（３）のコンテンツはすでに記録媒体６に記録されているが、検出窓（４）のコンテンツを書き込み始める前に記録トラックを切り替え、検出窓（３）に相当するコンテンツ部分を削除する。検出窓（４）でコピー禁止が検出されたときも同様であり、検出窓（４）のコンテンツはすでに記録媒体６に記録されているが、検出窓（５）のコンテンツを書き込み始める前に記録トラックを切り替え、検出窓（４）に相当するコンテンツ部分を削除する。
【００７８】
このように制御することで、電子透かしによってコピー禁止が指定されているコンテンツデータ部分に関し、記録媒体６に記録されるのは検出窓（２）の後半部分と検出窓（５）の前半部分だけであり、さらに検出窓（５）のコンテンツデータが記録されるため、コピー禁止からコピー可に遷移したときにコピー可部分の頭切れを防ぐことが出来る。
【００７９】
なお、データを削除する際は、削除するデータ部分を書きつぶすことが望ましいが、ファイルシステム等の管理情報の上だけで削除したことにしてもよい。
【００８０】
（実施の形態５）
本発明の実施の形態５による映像音声記録装置の構成を示すブロック図は実施の形態２と同様であるため、図５を流用してコンテンツデータの記録動作について説明する。
【００８１】
入力コンテンツは記録媒体６に記録され、同時に電子透かし検出部１にて検出窓単位に電子透かし検出が行われ、コピー制御情報が抽出される。制御部７は検出窓単位に通知されてくるコピー制御情報がコピー禁止であった場合には、記録媒体６への記録を新たに別のトラックとして継続するとともに、コピー禁止を連続して２回以上検出した場合には、コピー禁止が検出された２回目以降の当該トラックを削除するよう制御を行う。
【００８２】
上記のように記録動作を行ったときに、コンテンツデータ内に埋め込まれたコピー制御情報と記録媒体に記録されるコンテンツデータとの関係を図８を用いて説明する。
【００８３】
入力コンテンツと電子透かし検出の関係は図２と同様なので説明を省略する。
検出窓（３）でコピー禁止が検出されたとき、検出窓（４）のコンテンツを書き込み始める前に記録トラックを切り替える。検出窓（４）でコピー禁止が検出されたときも同様であり、検出窓（５）のコンテンツを書き込み始める前に記録トラックを切り替える。このとき、コピー禁止が２回連続して検出されたことになるため、２回目の検出に相当する検出窓（４）に相当するトラックを削除する。
【００８４】
このように制御することで、電子透かしによってコピー禁止が指定されているコンテンツデータ部分に関し、記録媒体６に記録されるのは検出窓（２）の後半部分と検出窓（３）の部分は記録されてしまうが、検出窓（５）のコンテンツデータは記録されるため、コピー禁止からコピー可に遷移したときにコピー可部分の頭切れを防ぐことが出来る。
【００８５】
本実施の形態では、あるトラックの一部分のみを削除するといった処理を省くことが出来るため、極めて簡単に実施することが出来る。
【００８６】
なお、データを削除する際は、削除するデータ部分を書きつぶすことが望ましいが、ファイルシステム等の管理情報の上だけで削除したことにしてもよい。
【００８７】
（実施の形態６）
つぎに、図９を主として参照しながら、本実施の形態の映像音声記録装置の構成について説明する。
【００８８】
図９は、本発明の実施の形態６による映像音声記録装置の構成を示すブロック図である。
【００８９】
図９において、１は映像または音声の入力コンテンツデータから電子透かしの検出を行いコピー制御情報を抽出する電子透かし検出部、９はコンテンツデータの暗号化を行うコンテンツ暗号化部、６は暗号化されたコンテンツデータを記録する記録媒体、７は電子透かし検出部で検出されたコピー制御情報に基づき記憶媒体への書き込みを制御する制御部である。
【００９０】
つぎに、本実施の形態の映像音声記録装置の動作について説明する。
【００９１】
以下、コンテンツデータの記録動作について説明する。
【００９２】
入力コンテンツはコンテンツ暗号化部９で暗号化された後、記録媒体６に記録され、同時に電子透かし検出部１にて検出窓単位に電子透かし検出が行われ、コピー制御情報が抽出される。制御部７は検出窓単位に通知されてくるコピー制御情報がコピー禁止であった場合には、コンテンツ暗号化部９に与える暗号鍵を変更するとともに記録媒体への記録を新たに別のトラックとして継続し、また、コピー禁止を検出する直前まで記録していたトラックにおいて、最後にコピー可を検出した位置または最後に電子透かしが検出できなかった位置以降に記録したデータ部分を削除するよう制御を行う。
【００９３】
上記のように記録動作を行ったときの、コンテンツデータ内に埋め込まれたコピー制御情報と記録媒体に記録されるコンテンツデータとの関係は、実施の形態４と同様であり、説明を省略する。コンテンツデータが各トラック毎に異なる暗号鍵によって暗号化される点が実施の形態４と異なる点であり、他の点は共通である。
【００９４】
なお、データを削除する際は、削除するデータ部分を書きつぶすことが望ましいが、ファイルシステム等の管理情報の上だけで削除したことにしてもよい。
【００９５】
（実施の形態７）
本発明の実施の形態７による映像音声記録装置の構成を示すブロック図は実施の形態６と同様であるため、図９を流用してコンテンツデータの記録動作について説明する。
【００９６】
以下、コンテンツデータの記録動作について説明する。
【００９７】
入力コンテンツはコンテンツ暗号化部９で暗号化された後、記録媒体６に記録され、同時に電子透かし検出部１にて検出窓単位に電子透かし検出が行われ、コピー制御情報が抽出される。制御部７は検出窓単位に通知されてくるコピー制御情報がコピー禁止であった場合には、記録媒体６への記録を新たに別のトラックとして継続するとともに、コピー禁止を連続して２回以上検出した場合には、コピー禁止が検出された２回目以降の当該トラックを削除するよう制御を行う。
【００９８】
上記のように記録動作を行ったときの、コンテンツデータ内に埋め込まれたコピー制御情報と記録媒体に記録されるコンテンツデータとの関係は、実施の形態５と同様であり、説明を省略する。コンテンツデータが各トラック毎に異なる暗号鍵によって暗号化される点が実施の形態５と異なる点であり、他の点は共通である。
【００９９】
なお、データを削除する際は、削除するデータ部分を書きつぶすことが望ましいが、ファイルシステム等の管理情報の上だけで削除したことにしてもよい。
【０１００】
（実施の形態８）
つぎに、図１０を主として参照しながら、本実施の形態の映像音声記録装置の構成について説明する。
【０１０１】
図１０は、本発明の実施の形態８による映像音声記録装置の構成を示すブロック図である。
【０１０２】
図１０において、１は映像または音声の複数の入力コンテンツデータからそれぞれ電子透かしの検出を行いコピー制御情報を抽出する電子透かし検出部、１０は同期した複数のコンテンツデータを一つのデータ列に統合するデータ統合部、５は入力コンテンツデータを一時的に記憶する一時記憶部、６はコンテンツデータを記録する記録媒体、７は電子透かし検出部で検出されたコピー制御情報に基づき一時記憶部と記憶媒体への書き込みを制御する制御部である。
【０１０３】
なお、データ統合部１０は、本発明の統合手段に対応する。
【０１０４】
つぎに、本実施の形態の映像音声記録装置の動作について説明する。
【０１０５】
以下、コンテンツデータの記録動作について説明する。
【０１０６】
複数の入力コンテンツはデータ統合部１０で一つのデータ列に統合され、一時記憶部５に蓄積され、同時に電子透かし検出部１にて検出窓単位に電子透かし検出が行われ、コピー制御情報が抽出される。制御部７は検出窓単位に通知されてくるコピー制御情報がコピー禁止であった場合には一時記憶部５に蓄積されていたコンテンツデータを破棄し、通知されてくるコピー制御情報がコピー可もしくは検出なしであった場合には記憶媒体６にコンテンツデータを書き出す制御を行う。なお、電子透かし検出部１がコピー制御情報を制御部７に通知するときに一時記憶部５に蓄積されているコンテンツデータは、電子透かし検出を実行した検出窓のコンテンツデータと一致する。
【０１０７】
上記のように記録動作を行ったときの、コンテンツデータ内に埋め込まれたコピー制御情報と記録媒体に記録されるコンテンツデータとの関係は、実施の形態１と同様であり、説明を省略する。
【０１０８】
なお、電子透かしの検出は、どちらか一方の入力コンテンツのみに実施しても良い。
【０１０９】
また、入力コンテンツデータを圧縮して記録媒体６に記録する場合は、図１１に示すようにデータ統合部１０の前段にそれぞれ圧縮部８ａ、８ｂを配置する。
制御内容は基本的に図１０の構成の場合と同じである。
【０１１０】
また、コンテンツデータを暗号化して記録媒体に記録する場合は、コンテンツ暗号化部を一時記憶部５の前段に配しても後段に配しても良いが、図１２に示すようにコンテンツ暗号化部９を一時記憶部５の後段に配すれば、コピー禁止からコピー可に遷移した際に暗号鍵を変更し、トラックを分割して記録することが可能になる。
【０１１１】
（実施の形態９）
つぎに、図１３を主として参照しながら、本実施の形態の映像音声記録装置の構成について説明する。
【０１１２】
図１３は、本発明の実施の形態９による映像音声記録装置の構成を示すブロック図である。
【０１１３】
図１３において、１は映像または音声の入力コンテンツデータから電子透かしの検出を行いコピー制御情報を抽出する電子透かし検出部、１０は同期した複数のコンテンツデータを一つのデータ列に統合するデータ統合部、６はコンテンツデータを記録する記録媒体、７は電子透かし検出部で検出されたコピー制御情報に基づき記憶媒体への書き込みを制御する制御部である。
【０１１４】
つぎに、本実施の形態の映像音声記録装置の動作について説明する。
【０１１５】
以下、コンテンツデータの記録動作について説明する。
【０１１６】
入力コンテンツはデータ統合部１０で一つのデータ列に統合され、記録媒体６に記録され、同時に電子透かし検出部１にて検出窓単位に電子透かし検出が行われ、コピー制御情報が抽出される。制御部７は検出窓単位に通知されてくるコピー制御情報がコピー禁止であった場合には、記録媒体６への書き込み位置を電子透かし検出の結果がコピー可であった位置または電子透かしが検出できなかった位置まで戻して記録を継続するよう書き込み制御を行う。
【０１１７】
上記のように記録動作を行ったときの、コンテンツデータ内に埋め込まれたコピー制御情報と記録媒体に記録されるコンテンツデータとの関係は、実施の形態２、８と同様であり、説明を省略する。
【０１１８】
なお、電子透かしの検出は、どちらか一方の入力コンテンツのみに実施しても良い。
【０１１９】
（実施の形態１０）
本発明の実施の形態１０による映像音声記録装置の構成を示すブロック図は実施の形態９と同様であるため、図１３を流用してコンテンツデータの記録動作について説明する。
【０１２０】
入力コンテンツはデータ統合部１０で一つのデータ列に統合され、記録媒体６に記録され、同時に電子透かし検出部１にて検出窓単位に電子透かし検出が行われ、コピー制御情報が抽出される。制御部７は検出窓単位に通知されてくるコピー制御情報がコピー禁止であった場合には、当該記録トラックにおいて最後にコピー可を検出した位置または最後に電子透かしが検出できなかった位置以降に記録したデータ部分を削除し、その位置に続けて記録を継続するよう書き込み制御を行う。
【０１２１】
実施の形態９との差異は、コピー禁止を検出した検出窓に相当するコンテンツを一旦消して書くか否かであり、その他の点は実施の形態３、８と同様である。
【０１２２】
なお、データを削除する際は、削除するデータ部分を書きつぶすことが望ましいが、ファイルシステム等の管理情報の上だけで削除したことにしてもよい。
【０１２３】
また、電子透かしの検出は、どちらか一方の入力コンテンツのみに実施しても良い。
【０１２４】
（実施の形態１１）
本発明の実施の形態１１による映像音声記録装置の構成を示すブロック図は実施の形態９と同様であるため、図１３を流用してコンテンツデータの記録動作について説明する。
【０１２５】
入力コンテンツはデータ統合部１０で一つのデータ列に統合され、記録媒体６に記録され、同時に電子透かし検出部１にて検出窓単位に電子透かし検出が行われ、コピー制御情報が抽出される。制御部７は検出窓単位に通知されてくるコピー制御情報がコピー禁止であった場合には、記録媒体６への記録を新たに別のトラックとして継続するとともに、コピー禁止を検出する直前まで記録していたトラックにおいて、最後にコピー可を検出した位置または最後に電子透かしが検出できなかった位置以降に記録したデータ部分を削除するよう書き込み制御を行う。
【０１２６】
上記のように記録動作を行ったときの、コンテンツデータ内に埋め込まれたコピー制御情報と記録媒体に記録されるコンテンツデータとの関係は、実施の形態４、８と同様であり、説明を省略する。
【０１２７】
なお、電子透かしの検出は、どちらか一方の入力コンテンツのみに実施しても良い。
【０１２８】
また、データを削除する際は、削除するデータ部分を書きつぶすことが望ましいが、ファイルシステム等の管理情報の上だけで削除したことにしてもよい。
【０１２９】
（実施の形態１２）
本発明の実施の形態１２による映像音声記録装置の構成を示すブロック図は実施の形態９と同様であるため、図１３を流用してコンテンツデータの記録動作について説明する。
【０１３０】
入力コンテンツはデータ統合部１０で一つのデータ列に統合され、記録媒体６に記録され、同時に電子透かし検出部１にて検出窓単位に電子透かし検出が行われ、コピー制御情報が抽出される。制御部７は検出窓単位に通知されてくるコピー制御情報がコピー禁止であった場合には、記録媒体６への記録を新たに別のトラックとして継続するとともに、コピー禁止を連続して２回以上検出した場合には、コピー禁止が検出された２回目以降の当該トラックを削除するよう制御を行う。
【０１３１】
上記のように記録動作を行ったときの、コンテンツデータ内に埋め込まれたコピー制御情報と記録媒体に記録されるコンテンツデータとの関係は、実施の形態５、８と同様であり、説明を省略する。
【０１３２】
なお、電子透かしの検出は、どちらか一方の入力コンテンツのみに実施しても良い。
【０１３３】
また、データを削除する際は、削除するデータ部分を書きつぶすことが望ましいが、ファイルシステム等の管理情報の上だけで削除したことにしてもよい。
【０１３４】
（実施の形態１３）
つぎに、図１４を主として参照しながら、本実施の形態の映像音声記録装置の構成について説明する。
【０１３５】
図１４は、本発明の実施の形態１３による映像音声記録装置の構成を示すブロック図である。
【０１３６】
図１４において、１は映像または音声の入力コンテンツデータから電子透かしの検出を行いコピー制御情報を抽出する電子透かし検出部、１０は同期した複数のコンテンツデータを一つのデータ列に統合するデータ統合部、９はコンテンツデータの暗号化を行うコンテンツ暗号化部、６は暗号化されたコンテンツデータを記録する記録媒体、７は電子透かし検出部で検出されたコピー制御情報に基づき記憶媒体への書き込みを制御する制御部である。
【０１３７】
つぎに、本実施の形態の映像音声記録装置の動作について説明する。
【０１３８】
以下、コンテンツデータの記録動作について説明する。
【０１３９】
入力コンテンツはデータ統合部１０で一つのデータ列に統合され、コンテンツ暗号化部９で暗号化された後、記録媒体６に記録され、同時に電子透かし検出部１にて検出窓単位に電子透かし検出が行われ、コピー制御情報が抽出される。制御部７は検出窓単位に通知されてくるコピー制御情報がコピー禁止であった場合には、コンテンツ暗号化部９に与える暗号鍵を変更するとともに記録媒体への記録を新たに別のトラックとして継続し、また、コピー禁止を検出する直前まで記録していたトラックにおいて、最後にコピー可を検出した位置または最後に電子透かしが検出できなかった位置以降に記録したデータ部分を削除するよう制御を行う。
【０１４０】
上記のように記録動作を行ったときの、コンテンツデータ内に埋め込まれたコピー制御情報と記録媒体に記録されるコンテンツデータとの関係は、実施の形態６と同様であり、説明を省略する。コンテンツデータが各トラック毎に異なる暗号鍵によって暗号化される点が実施の形態１１と異なる点であり、他の点は共通である。
【０１４１】
なお、電子透かしの検出は、どちらか一方の入力コンテンツのみに実施しても良い。
【０１４２】
また、データを削除する際は、削除するデータ部分を書きつぶすことが望ましいが、ファイルシステム等の管理情報の上だけで削除したことにしてもよい。
【０１４３】
（実施の形態１４）
本発明の実施の形態１４による映像音声記録装置の構成を示すブロック図は実施の形態１３と同じであるため、図１４を用いコンテンツデータの記録動作について説明する。
【０１４４】
図１４において、１は映像または音声の入力コンテンツデータから電子透かしの検出を行いコピー制御情報を抽出する電子透かし検出部、１０は同期した複数のコンテンツデータを一つのデータ列に統合するデータ統合部、９はコンテンツデータの暗号化を行うコンテンツ暗号化部、６は暗号化されたコンテンツデータを記録する記録媒体、７は電子透かし検出部で検出されたコピー制御情報に基づき記憶媒体への書き込みを制御する制御部である。
【０１４５】
以下、コンテンツデータの記録動作について説明する。
【０１４６】
入力コンテンツはデータ統合部１０で一つのデータ列に統合され、コンテンツ暗号化部９で暗号化された後、記録媒体６に記録され、同時に電子透かし検出部１にて検出窓単位に電子透かし検出が行われ、コピー制御情報が抽出される。制御部７は検出窓単位に通知されてくるコピー制御情報がコピー禁止であった場合には、記録媒体６への記録を新たに別のトラックとして継続するとともに、コピー禁止を連続して２回以上検出した場合には、コピー禁止が検出された２回目以降の当該トラックを削除するよう制御を行う。
【０１４７】
上記のように記録動作を行ったときの、コンテンツデータ内に埋め込まれたコピー制御情報と記録媒体に記録されるコンテンツデータとの関係は、実施の形態１２と同様であり、説明を省略する。コンテンツデータが各トラック毎に異なる暗号鍵によって暗号化される点が実施の形態１２と異なる点であり、他の点は共通である。
【０１４８】
なお、電子透かしの検出は、どちらか一方の入力コンテンツのみに実施しても良い。
【０１４９】
また、データを削除する際は、削除するデータ部分を書きつぶすことが望ましいが、ファイルシステム等の管理情報の上だけで削除したことにしてもよい。
【０１５０】
以上においては、本実施の形態１〜１４について詳細に説明した。
【０１５１】
このように本発明によれば、電子透かしによって埋め込まれたコピー制御情報に基づき記録制御を行う際、コピー禁止部分の記録範囲を最小限にとどめるとともに、コピー禁止からコピー可に遷移したときの記録の頭切れを最小限にとどめる映像音声記録装置を実現することができる。
【０１５２】
なお、本発明の所定の媒体は、上述した本実施の形態においては、記録媒体６であった。このような記録媒体６とは、より具体的には、磁気記録媒体、光記録媒体、光磁気記録媒体、半導体記録媒体などである。
【０１５３】
また、本発明のプログラムは、上述した本発明の記録方法の全部または一部のステップ（または、工程、動作、作用等）の動作をコンピュータにより実行させるためのプログラムであって、コンピュータと協働して動作するプログラムである。
【０１５４】
また、本発明の記録媒体は、上述した本発明の記録方法の全部または一部のステップ（または、工程、動作、作用等）の全部または一部の動作をコンピュータにより実行させるためのプログラムを担持した記録媒体であり、コンピュータにより読み取り可能かつ、読み取られた前記プログラムが前記コンピュータと協動して前記動作を実行する記録媒体である。
【０１５５】
なお、本発明の上記「一部のステップ（または、工程、動作、作用等）」とは、それらの複数のステップの内の、一つまたは幾つかのステップを意味する。
【０１５６】
また、本発明の上記「ステップ（または、工程、動作、作用等）の動作」とは、前記ステップの全部または一部の動作を意味する。
【０１５７】
また、本発明のプログラムの一利用形態は、コンピュータにより読み取り可能な記録媒体に記録され、コンピュータと協働して動作する態様であっても良い。
【０１５８】
また、本発明のプログラムの一利用形態は、伝送媒体中を伝送し、コンピュータにより読みとられ、コンピュータと協働して動作する態様であっても良い。
【０１５９】
また、記録媒体としては、ＲＯＭ等が含まれ、伝送媒体としては、インターネット等の伝送媒体、光・電波・音波等が含まれる。
【０１６０】
また、上述した本発明のコンピュータは、ＣＰＵ等の純然たるハードウェアに限らず、ファームウェアや、ＯＳ、更に周辺機器を含むものであっても良い。
【０１６１】
なお、以上説明した様に、本発明の構成は、ソフトウェア的に実現しても良いし、ハードウェア的に実現しても良い。
【０１６２】
【発明の効果】
本発明は、電子透かしによって埋め込まれたコピー制御情報に基づき、映像データや音声データをコピーする際に、より的確なコピー制御を行うことができるという長所を有する。
【図面の簡単な説明】
【図１】本発明の実施の形態１による映像音声記録装置の構成を示すブロック図
【図２】本発明の実施の形態１による映像音声記録装置の、コンテンツデータ内のコピー制御情報と記録媒体に記録されるコンテンツデータとの関係を示す図
【図３】本発明の実施の形態１による映像音声記録装置の別の構成を示すブロック図
【図４】本発明の実施の形態１による映像音声記録装置の別の構成を示すブロック図
【図５】本発明の実施の形態２による映像音声記録装置の構成を示すブロック図
【図６】本発明の実施の形態２による映像音声記録装置の、コンテンツデータ内のコピー制御情報と記録媒体に記録されるコンテンツデータとの関係を示す図
【図７】本発明の実施の形態４による映像音声記録装置の、コンテンツデータ内のコピー制御情報と記録媒体に記録されるコンテンツデータとの関係を示す図
【図８】本発明の実施の形態５による映像音声記録装置の、コンテンツデータ内のコピー制御情報と記録媒体に記録されるコンテンツデータとの関係を示す図
【図９】本発明の実施の形態６による映像音声記録装置の構成を示すブロック図
【図１０】本発明の実施の形態８による映像音声記録装置の別の構成を示すブロック図
【図１１】本発明の実施の形態８による映像音声記録装置の別の構成を示すブロック図
【図１２】本発明の実施の形態８による映像音声記録装置の別の構成を示すブロック図
【図１３】本発明の実施の形態９による映像音声記録装置の構成を示すブロック図
【図１４】本発明の実施の形態１３による映像音声記録装置の構成を示すブロック図
【図１５】従来の映像音声記録装置の構成を示すブロック図
【図１６】従来の映像音声記録装置の、コンテンツデータ内のコピー制御情報と記録媒体に記録されるコンテンツデータとの関係を示す図
【符号の説明】
１  電子透かし検出部
５  一時記憶部
６  記憶媒体
７  制御部
【図１】
2004213711.tif 000003
【図２】
2004213711.tif 000004
【図３】
2004213711.tif 000005
【図４】
2004213711.tif 000006
【図５】
2004213711.tif 000007
【図６】
2004213711.tif 000008
【図７】
2004213711.tif 000009
【図８】
2004213711.tif 000010
【図９】
2004213711.tif 000011
【図１０】
2004213711.tif 000012
【図１１】
2004213711.tif 000013
【図１２】
2004213711.tif 000014
【図１３】
2004213711.tif 000015
【図１４】
2004213711.tif 000016
【図１５】
2004213711.tif 000017
【図１６】
2004213711.tif 000018